(57)【要約】【課題】流路形成管の位置がずれたとしても流路形成管を容易に取付具の開口に挿し込むことを可能とする流路形成部材を得る。【解決手段】第１開口８１および第２開口８２を含む取付具８０に取り付けられる流路形成部材６０は、第１開口８１に挿し込まれる第１流路形成管６１と、第１流路形成管６１と並んで設けられ第２開口８２に挿し込まれる第２流路形成管６２とを備える。第１流路形成管６１は、第１流路形成管６１の外周面の周方向における一部から外方に向かって延出する係止部７７を含む。係止部７７は、第１流路形成管６１と第２流路形成管６２とを結ぶ直線に対して直交する方向に位置する第１領域７１と、第１流路形成管６１を挟んで第１領域７１の反対側に位置する第２領域７２とを有する。【選択図】図８
2014033829.tif 000002
【特許請求の範囲】
【請求項１】
互いに並んで配置された第１開口および第２開口を含む取付具に取り付けられる流路形成部材であって、
ベース部と、
前記ベース部の表面に設けられ、前記第１開口に挿し込まれる第１流路形成管と、
前記ベース部の表面において前記第１流路形成管と並んで設けられ、前記第２開口に挿し込まれる第２流路形成管と、を備え、
前記第１流路形成管は、前記第１流路形成管の外周面の周方向における一部から外方に向かって延出する第１係止部を含み、
前記第１係止部は、前記第１流路形成管と前記第２流路形成管とを結ぶ直線に対して直交する方向に位置する第１領域と、前記第１流路形成管を挟んで前記第１領域の反対側に位置する第２領域と、を有し、
前記第１流路形成管が前記第１開口に挿し込まれ且つ前記第２流路形成管が前記第２開口に挿し込まれたとき、前記取付具は前記第１係止部と前記ベース部との間に位置し、前記第１係止部は前記取付具のうちの前記第１開口の周縁部位に係止する、
流路形成部材。
【請求項２】
前記第２流路形成管は、前記第２流路形成管の外周面の周方向における一部から外方に向かって延出する第２係止部を含み、
前記第２係止部は、前記第１流路形成管と前記第２流路形成管とを結ぶ直線に対して直交する方向に位置する第３領域と、前記第２流路形成管を挟んで前記第３領域の反対側に位置する第４領域と、を有し、
前記第１流路形成管が前記第１開口に挿し込まれ且つ前記第２流路形成管が前記第２開口に挿し込まれたとき、前記取付具は前記第２係止部と前記ベース部との間に位置し、前記第２係止部は前記取付具のうちの前記第２開口の周縁部位に係止する、
請求項１に記載の流路形成部材。
【請求項３】
前記第１係止部は、前記第１領域と前記第２領域とを接続する接続領域をさらに有し、
前記接続領域は、前記第１流路形成管から見て前記第２流路形成管寄りに位置している、
請求項１または２に記載の流路形成部材。
【請求項４】
前記第１係止部は、前記第１領域と前記第２領域とを接続する接続領域をさらに有し、
前記接続領域は、前記第１流路形成管から見て前記第２流路形成管の反対側に位置している、
請求項１または２に記載の流路形成部材。
【請求項５】
互いに並んで配置された第１開口および第２開口を含む取付具に取り付けられる流路形成部材であって、
ベース部と、
前記ベース部の表面に設けられ、前記第１開口に挿し込まれる第１流路形成管と、
前記ベース部の表面において前記第１流路形成管と並んで設けられ、前記第２開口に挿し込まれる第２流路形成管と、を備え、
前記第１流路形成管は、前記第１流路形成管の外周面の周方向における全部から外方に向かって延出する第１係止部を含み、
前記第１係止部は、前記第１流路形成管と前記第２流路形成管とを結ぶ直線に対して直交する方向に位置する第１領域と、前記第１流路形成管を挟んで前記第１領域の反対側に位置する第２領域と、前記第１領域と前記第２領域とを接続するように設けられ、前記第１領域および前記第２領域よりも薄い厚さを有する接続領域と、を有し、
前記第１流路形成管が前記第１開口に挿し込まれ且つ前記第２流路形成管が前記第２開口に挿し込まれたとき、前記取付具は前記第１係止部と前記ベース部との間に位置し、前記第１係止部は前記取付具のうちの前記第１開口の周縁部位に係止する、
流路形成部材。
【請求項６】
前記第１流路形成管および前記第２流路形成管は、互いに同一の形状を有している、
請求項１から５のいずれかに記載の流路形成部材。
【請求項７】
前記第１流路形成管および前記第２流路形成管は、前記第１流路形成管と前記第２流路形成管とを結ぶ線分の垂直二等分線に対して、互いに左右対称の形状を有している、
請求項１から５のいずれかに記載の流路形成部材。
【請求項８】
請求項１から７のいずれかに記載の流路形成部材が設けられ、前記第１流路形成管および前記第２流路形成管の各々に連通する流体袋と、
前記流体袋を内部に収容し、前記第１流路形成管および前記第２流路形成管が表面から露出するように形成されたカフと、
前記取付具を用いて前記カフの表面に取り付けられ、前記第１流路形成管を通して前記流体袋を膨縮させ、前記第２流路形成管を通して測定した前記流体袋内の圧力に基づき血圧を測定する本体部と、を備える、
血圧測定装置。
【発明の詳細な説明】
【技術分野】
【０００１】
本発明は、流路形成部材および血圧測定装置に関し、特に、少なくとも２つの流路形成管を備える流路形成部材、およびその流路形成部材を備える血圧測定装置に関する。
【背景技術】
【０００２】
特開２０１０−０９９３８３号公報（特許文献１）に開示されているように、血圧測定装置が知られている。この血圧測定装置は、電子機器を内蔵する本体部と、生体に巻き付けられるカフとを備えている。本体部は、カフの表面上に取り付けられる。カフは帯状の形状を有し、カフの中には生体（動脈）を圧迫するための空気袋が設けられる。空気袋は、本体部に内蔵された加圧ポンプなどに接続される。
【０００３】
カフが生体の一部に巻き付けられた後、空気袋には、加圧ポンプの動作によって流体が注入および排出される。空気袋は膨張および収縮し、このときに発生する空気袋の内圧の変化は、本体部（本体部に内蔵された圧力センサ等）によって検出される。本体部は、空気袋の内圧の変化を血圧値として取得する。本体部に設けられた表示部は、血圧に関する情報を表示する。
【先行技術文献】
【特許文献】
【０００４】
【特許文献１】特開２０１０−０９９３８３号公報
【発明の概要】
【発明が解決しようとする課題】
【０００５】
血圧測定装置が製造される際、空気袋はカフの中に配置される。空気袋は、流路形成管を有する流路形成部材を用いて、本体部に内蔵された加圧ポンプなどに接続される。本体部は、開口を有する取付具を用いて、カフの表面上に取り付けられる。流路形成部材の流路形成管は、取付具の開口に挿し込まれる。血圧測定装置においては、空気袋と本体部に内蔵された加圧ポンプとが流路形成部材の流路形成管によって相互に連通され、本体部は取付具を用いてカフの表面上に取り付けられる。
【０００６】
流路形成部材に、複数の流路形成管が設けられる場合がある。この場合、取付具にも複数の開口が設けられる。複数の流路形成管は、複数の開口にそれぞれ挿し込まれる。流路形成部材を製造する過程では、製造上の誤差が発生して流路形成管の位置はずれることがある。血圧測定装置などの完成品を製造する過程でも、流路形成管の位置はずれることがある。流路形成管の位置がずれると、流路形成管を取付具の開口に挿し込むことが難しくなり、血圧測定装置などの完成品を製造することも困難となる。
【０００７】
本発明は、少なくとも２つの流路形成管を備える流路形成部材であって、流路形成管の位置がずれたとしても流路形成管を容易に取付具の開口に挿し込むことを可能とし、ひいては血圧測定装置などの完成品を容易に製造することを実現する流路形成部材、およびその流路形成部材を備えた血圧測定装置を提供することを目的とする。
【課題を解決するための手段】
【０００８】
本発明のある局面に基づく流路形成部材は、互いに並んで配置された第１開口および第２開口を含む取付具に取り付けられる流路形成部材であって、ベース部と、上記ベース部の表面に設けられ、上記第１開口に挿し込まれる第１流路形成管と、上記ベース部の表面において上記第１流路形成管と並んで設けられ、上記第２開口に挿し込まれる第２流路形成管と、を備え、上記第１流路形成管は、上記第１流路形成管の外周面の周方向における一部から外方に向かって延出する第１係止部を含み、上記第１係止部は、上記第１流路形成管と上記第２流路形成管とを結ぶ直線に対して直交する方向に位置する第１領域と、上記第１流路形成管を挟んで上記第１領域の反対側に位置する第２領域と、を有し、上記第１流路形成管が上記第１開口に挿し込まれ且つ上記第２流路形成管が上記第２開口に挿し込まれたとき、上記取付具は上記第１係止部と上記ベース部との間に位置し、上記第１係止部は上記取付具のうちの上記第１開口の周縁部位に係止する。
【０００９】
好ましくは、上記第２流路形成管は、上記第２流路形成管の外周面の周方向における一部から外方に向かって延出する第２係止部を含み、上記第２係止部は、上記第１流路形成管と上記第２流路形成管とを結ぶ直線に対して直交する方向に位置する第３領域と、上記第２流路形成管を挟んで上記第３領域の反対側に位置する第４領域と、を有し、上記第１流路形成管が上記第１開口に挿し込まれ且つ上記第２流路形成管が上記第２開口に挿し込まれたとき、上記取付具は上記第２係止部と上記ベース部との間に位置し、上記第２係止部は上記取付具のうちの上記第２開口の周縁部位に係止する。
【００１０】
好ましくは、上記第１係止部は、上記第１領域と上記第２領域とを接続する接続領域をさらに有し、上記接続領域は、上記第１流路形成管から見て上記第２流路形成管寄りに位置している。
【００１１】
好ましくは、上記第１係止部は、上記第１領域と上記第２領域とを接続する接続領域をさらに有し、上記接続領域は、上記第１流路形成管から見て上記第２流路形成管の反対側に位置している。
【００１２】
本発明の他の局面に基づく流路形成部材は、互いに並んで配置された第１開口および第２開口を含む取付具に取り付けられる流路形成部材であって、ベース部と、上記ベース部の表面に設けられ、上記第１開口に挿し込まれる第１流路形成管と、上記ベース部の表面において上記第１流路形成管と並んで設けられ、上記第２開口に挿し込まれる第２流路形成管と、を備え、上記第１流路形成管は、上記第１流路形成管の外周面の周方向における全部から外方に向かって延出する第１係止部を含み、上記第１係止部は、上記第１流路形成管と上記第２流路形成管とを結ぶ直線に対して直交する方向に位置する第１領域と、上記第１流路形成管を挟んで上記第１領域の反対側に位置する第２領域と、上記第１領域と上記第２領域とを接続するように設けられ、上記第１領域および上記第２領域よりも薄い厚さを有する接続領域と、を有し、上記第１流路形成管が上記第１開口に挿し込まれ且つ上記第２流路形成管が上記第２開口に挿し込まれたとき、上記取付具は上記第１係止部と上記ベース部との間に位置し、上記第１係止部は上記取付具のうちの上記第１開口の周縁部位に係止する。
【００１３】
好ましくは、上記第１流路形成管および上記第２流路形成管は、互いに同一の形状を有している。好ましくは、上記第１流路形成管および上記第２流路形成管は、上記第１流路形成管と上記第２流路形成管とを結ぶ線分の垂直二等分線に対して、互いに左右対称の形状を有している。
【００１４】
本発明に基づく血圧測定装置は、本発明のある局面または他の局面に基づく上記の流路形成部材が設けられ、上記第１流路形成管および上記第２流路形成管の各々に連通する流体袋と、上記流体袋を内部に収容し、上記第１流路形成管および上記第２流路形成管が表面から露出するように形成されたカフと、上記取付具を用いて上記カフの表面に取り付けられ、上記第１流路形成管を通して上記流体袋を膨縮させ、上記第２流路形成管を通して測定した上記流体袋内の圧力に基づき血圧を測定する本体部と、を備える。
【発明の効果】
【００１５】
本発明によれば、少なくとも２つの流路形成管を備える流路形成部材であって、流路形成管の位置がずれたとしても流路形成管を容易に取付具の開口に挿し込むことを可能とし、ひいては血圧測定装置などの完成品を容易に製造することを実現する流路形成部材、およびその流路形成部材を備えた血圧測定装置を得ることができる。
【図面の簡単な説明】
【００１６】
【図１】実施の形態１における血圧測定装置を示す第１斜視図である。
【図２】実施の形態１における血圧測定装置を示す第２斜視図である。
【図３】実施の形態１における血圧測定装置の機能ブロックを示す図である。
【図４】実施の形態１における血圧測定装置のカフから本体部を取り外した状態を示す斜視図である。
【図５】実施の形態１における血圧測定装置の空気袋に流路形成部材が接合され、流路形成部材に取付具が取り付けられた状態を示す斜視図である。
【図６】実施の形態１における血圧測定装置の空気袋（図示せず）に流路形成部材が接合され、流路形成部材に取付具が取り付けられた状態を示す平面図である。
【図７】図５中のＶＩＩ−ＶＩＩ線に沿った矢視断面図である。
【図８】実施の形態１における血圧測定装置の流路形成部材が接合された空気袋から、取付具を取り外した状態を示す第１斜視図である。
【図９】実施の形態１における血圧測定装置の流路形成部材が接合された空気袋から、取付具を取り外した状態を示す第２斜視図である。
【図１０】図８中のＸ−Ｘ線に沿った矢視断面図である。
【図１１】実施の形態１における血圧測定装置の流路形成部材が接合された空気袋（図示せず）から、取付具を取り外した状態を示す平面図である。
【図１２】実施の形態１における血圧測定装置の流路形成部材を示す平面図である。
【図１３】実施の形態１における血圧測定装置を組み立てる際（特に、取付具を流路形成部材に取り付ける際）の様子を示す平面図である。
【図１４】実施の形態１における血圧測定装置を組み立てる際（特に、取付具を流路形成部材に取り付ける際）の他の様子を示す平面図である。
【図１５】比較例における流路形成部材を示す斜視図である。
【図１６】比較例における流路形成部材に取付具を取り付ける際の様子を示す平面図である。
【図１７】実施の形態２における流路形成部材を示す平面図である。
【図１８】実施の形態３における流路形成部材を示す平面図である。
【図１９】実施の形態４における流路形成部材を示す平面図である。
【図２０】実施の形態５における流路形成部材を示す平面図である。
【図２１】実施の形態６における流路形成部材を示す平面図である。
【図２２】実施の形態７における流路形成部材を示す平面図である。
【発明を実施するための形態】
【００１７】
本発明に基づいた各実施の形態について、以下、図面を参照しながら説明する。各実施の形態の説明において、個数および量などに言及する場合、特に記載がある場合を除き、本発明の範囲は必ずしもその個数およびその量などに限定されない。各実施の形態の説明において、同一の部品および相当部品に対しては、同一の参照番号を付し、重複する説明は繰り返さない場合がある。
【００１８】
［実施の形態１］
（血圧測定装置１００の全体構成）
図１および図２を参照して、本実施の形態における血圧測定装置１００の全体構成について説明する。図１および図２に示すように、血圧測定装置１００は、本体部１０およびカフ４０を備える。図１においては、カフ４０が折り畳まれている様子が示されている。図２においては、カフ４０が広げられている様子が示されている。
【００１９】
本体部１０は、箱状の形状を有し、カフ４０に取り付けられている。本体部１０の内部には、各種の電子機器が設けられる（詳細は図３を参照して後述する）。本体部１０の表面には、表示部２０および操作部２２が設けられる。表示部２０は、液晶パネル等により構成される。操作部２２は、複数のスイッチを含み、被測定者からの指示を受け付ける。
【００２０】
カフ４０は、表面部材４４および裏面部材４５を有する。表面部材４４と裏面部材４５とを重ね合わせてその周縁を縫合することによって、カフ４０は袋状に形成される。カフ４０の袋状に形成された空間内には、生体を圧迫するための空気袋（図１および図２において図示せず）が配置される。空気袋は、内部に膨縮空間を有する。空気袋の更なる詳細については後述する（図４中の空気袋５０参照）。
【００２１】
カフ４０の一端４６側には、環状リング４８が設けられる。環状リング４８は、カフ４０の他端４７側の部分を挿通可能な挿通孔を有している。カフ４０の他端４７側の部分は、環状リング４８の挿通孔に挿通される。カフ４０の他端４７側の部分が環状リング４８を起点として折り返されることで、カフ４０は、環状の部分を形成する（図２参照）。血圧測定装置１００が使用される際、この環状の部分には、手首などの生体が挿入される。
【００２２】
カフ４０の長手方向における途中部分には、面ファスナー４４Ｍ（図２参照）が設けられる。カフ４０の他端４７側の部分と面ファスナー４４Ｍとは、相互に係止する。面ファスナー４４Ｍを用いてカフ４０が手首などに締結されることで、カフ４０は生体（手首など）に固定される。この状態で、血圧測定装置１００は血圧を測定することが可能となる。
【００２３】
（血圧測定装置１００の機能ブロック）
図３を参照して、血圧測定装置１００の機能ブロックについて説明する。血圧測定装置１００の本体部１０は、上述した表示部２０および操作部２２に加え、メモリ部２１、ＣＰＵ２８（Central  Processing  Unit）、電源２９、エア管３１，３２、圧力センサ３３、発振回路３４、加圧ポンプ３６、排気弁３７、加圧ポンプ駆動回路３８および排気弁駆動回路３９を備える。
【００２４】
上述のとおり、カフ４０内に配置される空気袋５０は、内部に膨縮空間を有している。加圧ポンプ３６および排気弁３７は、エア管３１を通して空気袋５０内の膨縮空間に連通している。圧力センサ３３は、エア管３２を通して空気袋５０内の膨縮空間に連通している。
【００２５】
ＣＰＵ２８は、血圧測定装置１００の全体を制御する。電源２９は、ＣＰＵ２８に電力を供給する。表示部２０は、測定結果等を表示する。メモリ部２１は、処理用メモリとデータ用メモリとを含む。メモリ部２１は、血圧を測定するための処理手順をＣＰＵ２８等に実行させるためのプログラムを記憶したり、測定結果等を記憶したりする。
【００２６】
操作部２２は、電源スイッチ２３、測定スイッチ２４、停止スイッチ２５、メモリスイッチ２６およびＩＤスイッチ２７（Identifier  Switch）を含む。電源スイッチ２３は、血圧測定装置１００の電源をＯＮまたはＯＦＦするための指示を被測定者から受け付ける。測定スイッチ２４は、測定開始の指示を被測定者から受け付ける。停止スイッチ２５は、測定停止の指示を被測定者から受け付ける。
【００２７】
メモリスイッチ２６は、メモリ部２１に記録された血圧などの情報を読み出して表示部２０に表示する指示を被測定者から受け付ける。ＩＤスイッチ２７は、被測定者を識別するためのＩＤ（Identifier）情報を入力する指示を被測定者から受け付ける。操作部２２は、被験者により各スイッチ２３〜２７の操作を受け付けて、外部からの指示をＣＰＵ２８に入力する。
【００２８】
圧力センサ３３、加圧ポンプ３６および排気弁３７は、血圧測定装置１００におけるエア系コンポーネント３０として機能する。加圧ポンプ３６および排気弁３７は、血圧測定装置１００における膨縮機構として機能し、空気袋５０を膨張および収縮させる。加圧ポンプ３６、排気弁３７、加圧ポンプ駆動回路３８および排気弁駆動回路３９は、血圧測定装置１００における調整機構３５として機能する。
【００２９】
具体的には、測定スイッチ２４が操作されたとき、ＣＰＵ２８は、加圧ポンプ３６および排気弁３７を駆動するための制御信号を加圧ポンプ駆動回路３８および排気弁駆動回路３９にそれぞれ入力する。加圧ポンプ３６の膨縮動作は、ＣＰＵ２８から入力された制御信号に基づいて、加圧ポンプ駆動回路３８により制御される。加圧ポンプ３６は、空気袋５０内の膨縮空間に空気などの流体を供給することにより、空気袋５０の内部の圧力（カフ圧）を増加させる。
【００３０】
排気弁３７の開閉動作は、ＣＰＵ２８から入力された制御信号に基づいて、排気弁駆動回路３９により制御される。排気弁３７は、空気袋５０のカフ圧を維持したり、空気袋５０内の膨縮空間を外部に開放して空気袋５０のカフ圧を減少させたりする。圧力センサ３３は、空気袋５０内のカフ圧に応じた出力信号を発振回路３４に入力する。発振回路３４は、圧力センサ３３から入力された信号に応じた発振周波数の信号を生成し、生成した信号をＣＰＵ２８に入力する。
【００３１】
ＣＰＵ２８は、圧力センサ３３によって検出された圧力値に基づいて被験者の血圧値を取得する血圧情報取得部（不図示）を含んでいる。血圧情報測定部によって算出された血圧値は、測定結果としてメモリ部２１または表示部２０に入力される。血圧を測定した後、被測定者は、操作部２２（電源スイッチ２３）を操作する。血圧測定装置１００の電源はＯＦＦになり、血圧測定装置１００の測定動作は終了する。
【００３２】
（血圧測定装置１００の詳細構成）
図４〜図１２を参照して、血圧測定装置１００の詳細構成について説明する。図４は、カフ４０から本体部１０を取り外した状態を示す斜視図である。上述のとおり、カフ４０内には、空気袋５０が配置される。空気袋５０には、流路形成部材６０が熱溶着などによって接合されている（図８参照）。詳細は図８等を参照して後述されるが、流路形成部材６０は、第１流路形成管６１、第２流路形成管６２およびベース部６５を有する。流路形成部材６０が空気袋５０に接合された状態で、ベース部６５は空気袋５０の内部に配置され、第１流路形成管６１および第２流路形成管６２の各々の先端側の部分は、空気袋５０の表面から突出している（図１０参照）。
【００３３】
流路形成部材６０には、本体部１０をカフ４０に固定するための取付具８０が取り付けられる（図５参照）。空気袋５０に流路形成部材６０が接合され、流路形成部材６０に取付具８０が取り付けられた状態で、空気袋５０、流路形成部材６０および取付具８０は、カフ４０の中に収容される。その後、本体部１０はカフ４０に取り付けられる（詳細は後述する）。
【００３４】
図５は、空気袋５０に流路形成部材６０が接合され、流路形成部材６０に取付具８０が取り付けられた状態を示す斜視図である。図６は、空気袋５０（図示せず）に流路形成部材６０が接合され、流路形成部材６０に取付具８０が取り付けられた状態を示す平面図である。図７は、図５中のＶＩＩ−ＶＩＩ線に沿った矢視断面図である。図７においては、カフ４０（表面部材４４および裏面部材４５）が一点鎖線を用いて仮想的に図示されている。
【００３５】
図８は、流路形成部材６０が接合された空気袋５０から、取付具８０を取り外した状態を示す第１斜視図である。図９は、流路形成部材６０が接合された空気袋５０から、取付具８０を取り外した状態を示す第２斜視図である。図９においては、図示上の便宜のため、空気袋５０が点線を用いて仮想的に示されている。図１０は、図８中のＸ−Ｘ線に沿った矢視断面図である。図１１は、流路形成部材６０が接合された空気袋５０（図示せず）から、取付具８０を取り外した状態を示す平面図である。図１２は、流路形成部材６０を示す平面図である。
【００３６】
（本体部１０）
図４に示すように、本体部１０は、取付具８０を用いてカフ４０に取り付けられる。具体的には、本体部１０の下面には、第１接続管１１、第２接続管１２、凹部１３、ネジ穴１４、嵌込凹部１５および嵌込凹部１６が設けられる。第１接続管１１および第２接続管１２は、それぞれ円筒状の形状を有し、本体部１０の下面から突出している。第１接続管１１および第２接続管１２は、互いに間隔を空けて、本体部１０の幅方向にほぼ沿うように並んで配置されている。
【００３７】
第１接続管１１は、本体部１０の内部においてエア管３１（図３参照）に接続され、加圧ポンプ３６（図３参照）および排気弁３７（図３参照）に連通している。第２接続管１２は、本体部１０の内部においてエア管３２（図３参照）に接続され、圧力センサ３３（図３参照）に連通している。
【００３８】
凹部１３は、本体部１０の下面から凹むように設けられる。ネジ穴１４は、凹部１３の内側に設けられる。嵌込凹部１５，１６も、本体部１０の下面から凹むように設けられる。嵌込凹部１５は、第１接続管１１の近傍に設けられ、嵌込凹部１６は、第２接続管１２の近傍に設けられる。嵌込凹部１５，１６は、第１接続管１１と第２接続管１２とを結ぶ直線を挟んで、凹部１３の反対側に位置している。凹部１３および嵌込凹部１５，１６は、三角形の３つの頂点にそれぞれ重なるように配置されている。
【００３９】
（取付具８０）
図５〜図１１（特に、図８）を参照して、本体部１０（図４参照）をカフ４０（図４参照）に取り付けるための取付具８０は、たとえば樹脂製の部材から、金型を用いた成形などによって形成される。取付具８０は、第１開口８１、第２開口８２、固定部８３、ネジ穴８４、嵌込凸部８５，８６およびベース部８７を含む。ベース部８７は、板状の形状を有する。ベース部８７の外形は、略矩形形状を周している。第１開口８１および第２開口８２は、ベース部８７をその板厚方向に貫通しており、互いに間隔を空けて並んで配置されている。
【００４０】
第１開口８１および第２開口８２は、第１開口８１および第２開口８２を結ぶ直線がベース部８７の長手方向にほぼ沿うように配列されている（図１１参照）。本実施の形態の取付具８０においては、第１開口８１は、ベース部８７の一方の側部寄りに配置されている。第２開口８２は、ベース部８７の他方の側部寄りに配置されている。本実施の形態においては、第１開口８１および第２開口８２の配列方向（第１開口８１および第２開口８２を結ぶ直線）と、ベース部８７の長手方向とは完全には一致していない。換言すると、第１開口８１および第２開口８２を結ぶ直線と、ベース部８７の長手方向とは平行な関係ではない。第１開口８１および第２開口８２の配列方向と、ベース部８７の長手方向とは平行な関係であってもよい。
【００４１】
固定部８３は、ベース部８７の一方の側部に設けられる。固定部８３は、ベース部８７の一方の側部から起立して、ベース部８７とは反対側に向かって折れ曲っている。固定部８３は、全体としてＬ字状の形状を有し、その形状は本体部１０（図４参照）の凹部１３の形状に対応している。ネジ穴８４は、固定部８３をその板厚方向に貫通するように設けられている。ネジ穴８４は、本体部１０（図４参照）のネジ穴１４に対応する形状を有している。
【００４２】
嵌込凸部８５，８６は、ベース部８７の他方の側部にそれぞれ設けられる。嵌込凸部８５，８６も、ベース部８７の他方の側部からそれぞれ起立して、ベース部８７とは反対側に向かってそれぞれ折れ曲っている。嵌込凸部８５，８６は、全体としてＬ字状の形状（いわゆるフック形状）を有し、その形状は本体部１０（図４参照）の嵌込凹部１５，１６の形状にそれぞれ対応している。
【００４３】
固定部８３および嵌込凸部８５，８６は、三角形の３つの頂点にそれぞれ重なるように配置され、これらの位置は、本体部１０の凹部１３および嵌込凹部１５，１６の位置にそれぞれ対応している。ネジ穴８４の位置も、本体部１０のネジ穴１４の位置に対応している。
【００４４】
図４を再び参照して、カフ４０の表面部材４４には、穴４１〜４３が設けられる。穴４１〜４３は、三角形の３つの頂点にそれぞれ重なるように配置される。穴４１、穴４２および穴４３の位置は、取付具８０の嵌込凸部８５、嵌込凸部８６および固定部８３の位置にそれぞれ対応している。
【００４５】
取付具８０は、空気袋５０および流路形成部材６０とともに、カフ４０の内部に配置される。取付具８０（取付具８０のベース部８７）は、表面部材４４および裏面部材４５の間に配置される（図７参照）。図４に示すように、取付具８０がカフ４０の内部に配置された状態で、固定部８３は穴４３から外部に露出し、嵌込凸部８５は穴４１から外部に露出し、嵌込凸部８６は穴４２から外部に露出する。
【００４６】
（空気袋５０）
図５および図７〜図１０に示すように、空気袋５０は、表面部材５４および裏面部材５５を有する。表面部材５４と裏面部材５５とを重ね合わせてその周縁を溶着することによって、空気袋５０は袋状に形成され、その内部には膨縮空間５６（図７および図１０参照）が形成される。表面部材５４および裏面部材５５は、好適には樹脂シートを用いて構成される。
【００４７】
表面部材５４および裏面部材５５を構成する樹脂シートの材質には、伸縮性に富んでおり溶着後において膨縮空間からの漏気がないものであればどのようなものでも使用可能である。好適には、表面部材５４および裏面部材５５を構成する樹脂シートの材質は、たとえばエチレン−酢酸ビニル共重合体（ＥＶＡ）、軟質塩化ビニル（ＰＶＣ）、ポリウレタン（ＰＵ）または天然ゴム（ＮＲ）等である。
【００４８】
図７および図１０に示すように、空気袋５０の表面部材５４には、穴５７が設けられる。穴５７は、流路形成部材６０の第１流路形成管６１（詳細は後述する）に対応している（図８参照）。穴５７には、流路形成部材６０の第１流路形成管６１が挿し込まれる。図８を参照して、空気袋５０の表面部材５４には、穴５７と同様な穴５８も設けられる。穴５８は、流路形成部材６０の第２流路形成管６２（詳細は後述する）に対応している。穴５８には、流路形成部材６０の第２流路形成管６２が挿し込まれる。
【００４９】
穴５７に第１流路形成管６１が挿し込まれ且つ穴５８に第２流路形成管６２が挿し込まれた状態で、表面部材５４と流路形成部材６０のベース部６５（詳細は後述する）とが互いに接合される。その後、表面部材５４と裏面部材５５とが溶着され、膨縮空間５６が形成される。流路形成部材６０のベース部６５は、空気袋５０の内部（膨縮空間５６内）に位置しており、第１流路形成管６１の先端側の部分は、穴５７を通して空気袋５０（表面部材５４）の表面から突出し、第２流路形成管６２の先端側の部分は、穴５８を通して空気袋５０（表面部材５４）の表面から突出することとなる。この状態で、流路形成部材６０の第１流路形成管６１および第２流路形成管６２は、空気袋５０内の膨縮空間５６に連通している。
【００５０】
（流路形成部材６０）
図８〜図１１に示すように、流路形成部材６０は、第１流路形成管６１、第２流路形成管６２およびベース部６５を備える。ベース部６５は、シート状の形状を有する。第１流路形成管６１および第２流路形成管６２は、ベース部６５の上面から起立するようにそれぞれ設けられ、互いに間隔を空けて並んで配置されている。第１流路形成管６１および第２流路形成管６２は、ベース部６５をその厚さ方向に貫通しており、第１流路形成管６１および第２流路形成管６２の下端側の部分は、ベース部６５の下面に位置している（図９参照）。
【００５１】
上述のとおり、流路形成部材６０は、熱溶着などによって空気袋５０の表面（表面部材５４）に接合される。図９に示すように、ベース部６５の下面には、複数のリブ６６（図９参照）が設けられている。
【００５２】
図１１に示すように、本実施の形態のベース部６５は、４つの角部がそれぞれ円弧状に形成された平行四辺形の形状を有している。第１流路形成管６１および第２流路形成管６２は、第１流路形成管６１と第２流路形成管６２とを結ぶ直線がベース部６５の長手方向にほぼ沿うように配列されている。第１流路形成管６１は、取付具８０の第１開口８１に対応するように配置され、第２流路形成管６２は、取付具８０の第２開口８２に対応するように配置されている。
【００５３】
上述のとおり、取付具８０における第１開口８１および第２開口８２の配列方向と、取付具８０におけるベース部８７の長手方向とは一致していない（平行ではない）。流路形成部材６０の第１流路形成管６１および第２流路形成管６２の位置、ならびに取付具８０の第１開口８１および第２開口８２の位置は、これらの位置関係が相互に対応していれば、取付具８０におけるベース部８７の長手方向と一致していてもよいし、本体部１０（図４参照）の幅方向と一致していてもよいし、本体部１０の長さ方向と一致していてもよい。
【００５４】
（第１係止部７７）
図１２を参照して、第１流路形成管６１は、第１流路形成管６１の外周面の周方向における一部（換言すると、一部のみ）から外方に向かって延出する第１係止部７７を含む。第１係止部７７は、第１領域７１および第２領域７２を有する。第１領域７１は、第１流路形成管６１と第２流路形成管６２とを結ぶ直線ＬＬに対して直交する方向（矢印ＤＲ１方向）に位置している。第２領域７２は、第１流路形成管６１を挟んで第１領域７１の反対側に位置している。
【００５５】
第１領域７１および第２領域７２は、第１流路形成管６１の外周面の周方向における一部のみから外方に向かってそれぞれ延出するように形成されており、直線ＬＬを挟んで互いに反対側に位置している。
【００５６】
本実施の形態の第１領域７１は、第１流路形成管６１の外周面の周方向における一部から、取付具８０（図１１参照）の長手方向に対して直交する方向に向かって延出する形状を有している。本実施の形態の第２領域７２は、第１流路形成管６１の外周面の周方向における一部から、取付具８０（図１１参照）の長手方向に対して直交する方向（第１領域７１の延出方向とは反対方向）に向かって延出する形状を有している。
【００５７】
図６に示すように、取付具８０の第１開口８１に第１流路形成管６１が挿し込まれ、取付具８０が流路形成部材６０に取り付けられた状態においては、第１領域７１および第２領域７２の各延出方向は、取付具８０のベース部８７の長手方向に対して直交する方向に一致する。
【００５８】
第１領域７１は、第１流路形成管６１の外周面から見て直線ＬＬ（図１２参照）に対して直交する方向（矢印ＤＲ１方向）に位置する部分を少なくとも含むように形成されていればよい。換言すると、第１領域７１の延出方向は、取付具８０の長手方向に対して直交する方向（取付具８０の幅方向）に一致していなくてもよい。たとえば、第１領域７１は、第１流路形成管６１の外周面から見て直線ＬＬに対して直交する方向（矢印ＤＲ１方向）に延出する形状を有していてもよい。
【００５９】
第２領域７２も、第１流路形成管６１の外周面から見て直線ＬＬ（図１２参照）に対して直交する方向（矢印ＤＲ１方向とは反対方向）に位置する部分を少なくとも含むように形成されていればよい。換言すると、第２領域７２の延出方向は、取付具８０の長手方向に対して直交する方向に一致していなくてもよい。たとえば、第２領域７２は、第１流路形成管６１の外周面から見て直線ＬＬに対して直交する方向（矢印ＤＲ１方向とは反対方向）に延出する形状を有していてもよい。
【００６０】
（第２係止部７８）
第２流路形成管６２は、第２流路形成管６２の外周面の周方向における一部（換言すると、一部のみ）から外方に向かって延出する第２係止部７８を含む。第２係止部７８は、第３領域７３および第４領域７４を有する。第３領域７３は、第１流路形成管６１と第２流路形成管６２とを結ぶ直線ＬＬに対して直交する方向（矢印ＤＲ２方向）に位置している。第４領域７４は、第２流路形成管６２を挟んで第３領域７３の反対側に位置している。
【００６１】
第３領域７３および第４領域７４は、第２流路形成管６２の外周面の周方向における一部のみから外方に向かってそれぞれ延出するように形成されており、直線ＬＬを挟んで互いに反対側に位置している。
【００６２】
本実施の形態の第３領域７３は、第２流路形成管６２の外周面の周方向における一部から、取付具８０（図１１参照）の長手方向に対して直交する方向に向かって延出する形状を有している。本実施の形態の第４領域７４は、第２流路形成管６２の外周面の周方向における一部から、取付具８０（図１１参照）の長手方向に対して直交する方向（第３領域７３の延出方向とは反対方向）に向かって延出する形状を有している。
【００６３】
図６に示すように、取付具８０の第２開口８２に第２流路形成管６２が挿し込まれ、取付具８０が流路形成部材６０に取り付けられた状態においては、第３領域７３および第４領域７４の各延出方向は、取付具８０のベース部８７の長手方向に対して直交する方向に一致する。
【００６４】
第３領域７３は、第２流路形成管６２の外周面から見て直線ＬＬ（図１２参照）に対して直交する方向（矢印ＤＲ２方向）に位置する部分を少なくとも含むように形成されていればよい。換言すると、第３領域７３の延出方向は、取付具８０の長手方向に対して直交する方向（取付具８０の幅方向）に一致していなくてもよい。たとえば、第３領域７３は、第２流路形成管６２の外周面から見て直線ＬＬに対して直交する方向（矢印ＤＲ２方向）に延出する形状を有していてもよい。
【００６５】
第４領域７４も、第２流路形成管６２の外周面から見て直線ＬＬ（図１２参照）に対して直交する方向（矢印ＤＲ２方向とは反対方向）に位置する部分を少なくとも含むように形成されていればよい。換言すると、第４領域７４の延出方向は、取付具８０の長手方向に対して直交する方向に一致していなくてもよい。たとえば、第４領域７４は、第２流路形成管６２の外周面から見て直線ＬＬに対して直交する方向（矢印ＤＲ２方向とは反対方向）に延出する形状を有していてもよい。
【００６６】
本実施の形態においては、各領域７１〜７４の延出方向の先端は円弧状の形状を有している。第１流路形成管６１の外周面からの第１領域７１の延出方向と、第２流路形成管６２の外周面からの第３領域７３の延出方向とは、互いに平行である。第１流路形成管６１の外周面からの第２領域７２の延出方向と、第２流路形成管６２の外周面からの第４領域７４の延出方向とは、互いに平行である。
【００６７】
ここで言う第１流路形成管６１の外周面からの第１領域７１の延出方向とは、第１流路形成管６１の中心と第１領域７１の外縁の中心とを結ぶ方向であり、第１流路形成管６１の外周面からの第２領域７２の延出方向とは、第１流路形成管６１の中心と第１領域７１の外縁の中心とを結ぶ方向である。第２流路形成管６２の外周面からの第３領域７３の延出方向とは、第２流路形成管６２の中心と第３領域７３の外縁の中心とを結ぶ方向であり、第２流路形成管６２の外周面からの第４領域７４の延出方向とは、第２流路形成管６２の中心と第４領域７４の外縁の中心とを結ぶ方向である。
【００６８】
本実施の形態の流路形成部材６０を図１２に示すように平面視で見た場合、第１流路形成管６１および第２流路形成管６２は、各領域７１〜７４を含めて互いに同一の形状を有している。第１流路形成管６１および第２流路形成管６２は、第１流路形成管６１と第２流路形成管６２とを結ぶ線分の垂直二等分線に対して、各領域７１〜７４を含めて互いに左右対称の形状を有していてもよい。
【００６９】
本実施の形態においては、第１流路形成管６１および第２流路形成管６２のうちの筒状の形状を有する部分は、互いに同一の直径を有しているが、互いに異なる直径を有していてもよい。詳細は図４を参照して後述されるが、本体部１０の第１接続管１１は流路形成部材６０の第１流路形成管６１に挿し込まれ、本体部１０の第２接続管１２は流路形成部材６０の第２流路形成管６２に挿し込まれる。第１流路形成管６１および第２流路形成管６２のうちの筒状の形状を有する部分は、本体部１０の第１接続管１１および第２接続管１２の位置および形状に対応していれば、互いに同一の形状を有していてもよく、互いに異なる形状を有していてもよい。
【００７０】
第１流路形成管６１および第２流路形成管６２は、各領域７１〜７４を含めて互いに同一の形状を有している場合、製作上の都合がよく、流路形成部材６０を容易に製作することが可能となる。流路形成部材６０の方向性を配慮する必要が無くなるため、流路形成部材６０を空気袋５０に接合する際にも都合がよい。
【００７１】
流路形成部材６０においては、第１領域７１の延出方向の先端部と第２領域７２の延出方向の先端部との間の距離は、取付具８０の第１開口８１の直径よりも大きい。同様に、第３領域７３の延出方向の先端部と第４領域７４の延出方向の先端部との間の距離は、取付具８０の第２開口８２の直径よりも大きい。
【００７２】
図５〜図１０に示すように、取付具８０が流路形成部材６０に取り付けられる際、流路形成部材６０の第１流路形成管６１は、取付具８０の第１開口８１に挿し込まれる。流路形成部材６０の第２流路形成管６２は、取付具８０の第２開口８２に挿し込まれる。図７に示すように、取付具８０のベース部８７は、第１係止部７７（第１領域７１および第２領域７２）と流路形成部材６０のベース部６５との間、ならびに第２係止部７８（第３領域７３および第４領域７４）と流路形成部材６０のベース部６５との間に配置される。
【００７３】
図５〜図７に示すように、取付具８０が流路形成部材６０に取り付けられた際、流路形成部材６０の第１領域７１および第２領域７２は、取付具８０のベース部８７のうちの第１開口８１の周縁部位に係止し、流路形成部材６０の第３領域７３および第４領域７４は、取付具８０のベース部８７のうちの第２開口８２の周縁部位に係止する。これらの係止によって、取付具８０および流路形成部材６０同士は互いに位置決めされ、取付具８０が流路形成部材６０から外れてしまうことは効果的に抑制される。血圧測定装置１００が完成品として組み立てられた後においても、取付具８０が流路形成部材６０から外れてしまうこと（第１流路形成管６１が第１開口８１から外れたり、第２流路形成管６２が第２開口８２から外れたりすること）は効果的に抑制される。
【００７４】
図４を再び参照して、流路形成部材６０に取付具８０が取り付けられた状態で、空気袋５０、流路形成部材６０および取付具８０は、カフ４０の中（表面部材４４および裏面部材４５の間）に収容される。流路形成部材６０および取付具８０がカフ４０の内部に配置された状態で、取付具８０の固定部８３は穴４３から外部に露出し、流路形成部材６０の第１流路形成管６１および取付具８０の嵌込凸部８５は穴４１から外部に露出し、流路形成部材６０の第２流路形成管６２および取付具８０の嵌込凸部８６は穴４２から外部に露出する。この状態で表面部材４４および裏面部材４５の周縁が接合される。
【００７５】
本体部１０がカフ４０に取り付けられるとき、本体部１０の第１接続管１１は流路形成部材６０の第１流路形成管６１に挿し込まれ（矢印ＡＲ１参照）、本体部１０の第２接続管１２は流路形成部材６０の第２流路形成管６２に挿し込まれる（矢印ＡＲ２参照）。上述のとおり、流路形成部材６０の第１流路形成管６１および第２流路形成管６２は、空気袋５０内の膨縮空間に連通している。
【００７６】
本体部１０の第１接続管１１は、本体部１０の内部においてエア管３１（図３参照）に接続され、加圧ポンプ３６（図３参照）および排気弁３７（図３参照）に連通している。本体部１０がカフ４０に取り付けられたとき、加圧ポンプ３６および排気弁３７は、エア管３１および第１流路形成管６１を通して、空気袋５０内の膨縮空間に連通する。
【００７７】
空気袋５０は、加圧ポンプ３６（図３参照）、エア管３１（図３参照）および第１流路形成管６１を通して流体が注入されることにより膨張する。空気袋５０は、第１流路形成管６１、エア管３１および排気弁３７（図３参照）を通して流体が排出されることにより収縮する。この膨張および収縮により、空気袋５０はたとえば手首などの生体を圧迫することができる。
【００７８】
本体部１０の第２接続管１２は、本体部１０の内部においてエア管３２（図３参照）に接続され、圧力センサ３３（図３参照）に連通している。本体部１０がカフ４０に取り付けられたとき、圧力センサ３３は、エア管３２および第２流路形成管６２を通して、空気袋５０内の膨縮空間に連通する。圧力センサ３３は、空気袋５０のカフ圧に応じた出力信号を発振回路３４（図３参照）に入力する。発振回路３４からの情報を受けたＣＰＵ２８（図３参照）によって、血圧値が算出される。血圧測定装置１００は、表示部２０に測定結果を表示することが可能となる。
【００７９】
一方で、本体部１０がカフ４０に取り付けられるとき、取付具８０の嵌込凸部８５は本体部１０の嵌込凹部１５に挿し込まれ（矢印ＡＲ５参照）、取付具８０の嵌込凸部８６は本体部１０の嵌込凹部１６に挿し込まれる（矢印ＡＲ６参照）。取付具８０の嵌込凸部８５が本体部１０の嵌込凹部１５に係止し、かつ取付具８０の嵌込凸部８６が本体部１０の嵌込凹部１６に係止した状態で、取付具８０の固定部８３は、本体部１０の凹部１３内に嵌め込まれる（矢印ＡＲ３参照）。
【００８０】
図示しないネジがネジ穴８４からネジ穴１４に向かって挿し込まれた後、そのネジはネジ穴１４に螺合する。ネジによって固定部８３が凹部１３に締結されることで、本体部１０はカフ４０に取り付けられる。本体部１０は、カフ４０に対して確実に取り付けられる。被測定者がカフ４０を手首などに締結する際に、本体部１０がカフ４０から外れることはない。第１流路形成管６１が第１接続管１１から外れたり、第２流路形成管６２が第２接続管１２から外れたりすることも抑制されており、被測定者は血圧値などを適式に測定することが可能となる。
【００８１】
（作用および効果）
図１３は、血圧測定装置１００を組み立てる際（特に、取付具８０を流路形成部材６０に取り付ける際）の様子を示す平面図である。上述のとおり、流路形成部材６０は、空気袋５０（図８参照）を作成する際に表面部材５４の裏面に熱溶着などによって予め接合される。熱溶着が実施される際に、流路形成部材６０においては、第１流路形成管６１の位置が矢印ＤＲ３方向（第２流路形成管６２から離れる方向）に位置ずれし、第２流路形成管６２の位置が矢印ＤＲ４方向（第１流路形成管６１から離れる方向）に位置ずれすることがある。流路形成部材６０そのものを製造する際にも、同様な位置ずれは発生し得る。
【００８２】
第１流路形成管６１の位置および第２流路形成管６２の位置がずれることにより、第１流路形成管６１および第２流路形成管６２の間の間隔は、設計値（第１開口８１および第２開口８２の間の間隔）に比べて大きくなる。第１流路形成管６１のみが矢印ＤＲ３方向にずれた場合、および第２流路形成管６２のみが矢印ＤＲ４方向にずれた場合であっても、第１流路形成管６１および第２流路形成管６２の間の間隔は、設計値（第１開口８１および第２開口８２の間の間隔）に比べて大きくなる。
【００８３】
本実施の形態の流路形成部材６０においては、第１流路形成管６１の外周部９１には第１係止部７７が設けられておらず、第２流路形成管６２の外周部９２にも第２係止部７８が設けられていない。第１流路形成管６１の外周部９１とは、第１流路形成管６１から見て第２流路形成管６２の反対側に位置する部分である。第２流路形成管６２の外周部９２とは、第２流路形成管６２から見て第１流路形成管６１の反対側に位置する部分である。
【００８４】
取付具８０を流路形成部材６０に取り付ける際、換言すると、第１流路形成管６１を第１開口８１に挿し込み、第２流路形成管６２を第２開口８２に挿し込む際に、取付具８０のベース部８７（第１開口８１の周縁部位）が第１係止部７７に干渉されることはほとんどない。同様に、取付具８０のベース部８７（第２開口８２の周縁部位）が第２係止部７８に干渉されることもほとんどない。
【００８５】
第１流路形成管６１を取付具８０の第１開口８１に挿し込む際、第１領域７１および第２領域７２は第１開口８１の周縁部位に接触して弾性変形し、第１開口８１の周縁部位を通過した後は元の状態に戻る。流路形成部材６０の第１領域７１および第２領域７２は、取付具８０のベース部８７のうちの第１開口８１の周縁部位に係止する。
【００８６】
第２流路形成管６２を取付具８０の第２開口８２に挿し込む際、第３領域７３および第４領域７４は第２開口８２の周縁部位に接触して弾性変形し、第２開口８２の周縁部位を通過した後は元の状態に戻る。流路形成部材６０の第３領域７３および第４領域７４は、取付具８０のベース部８７のうちの第２開口８２の周縁部位に係止する。
【００８７】
各領域７１〜７４が第１開口８１および第２開口８２の周縁部位に係止することによって、取付具８０および流路形成部材６０同士は互いに位置決めされ、取付具８０が流路形成部材６０から外れてしまうことは効果的に抑制される。
【００８８】
したがって本実施の形態の流路形成部材６０によれば、第１流路形成管６１の位置およびまたは第２流路形成管６２の位置が外側に向かってずれたとしても、第１流路形成管６１を取付具８０の第１開口８１に容易に挿し込むこと、および第２流路形成管６２を取付具８０の第２開口８２に容易に挿し込むことが可能となっている。取付具８０が流路形成部材６０に取り付けられた後においては、第１流路形成管６１が第１接続管１１から外れたり、第２流路形成管６２が第２接続管１２から外れたりすることも、効果的に抑制することが可能となっている。
【００８９】
図１４は、血圧測定装置１００を組み立てる際（特に、取付具８０を流路形成部材６０に取り付ける際）の他の様子を示す平面図である。上述のとおり、流路形成部材６０は、空気袋５０（図８参照）を作成する際に表面部材５４の裏面に熱溶着などによって予め接合される。熱溶着が実施される際に、流路形成部材６０においては、第１流路形成管６１の位置が矢印ＤＲ５方向（第２流路形成管６２に近づく方向）に位置ずれし、第２流路形成管６２の位置が矢印ＤＲ６方向（第１流路形成管６１に近づく方向）に位置ずれすることがある。流路形成部材６０そのものを製造する際にも、同様な位置ずれは発生し得る。
【００９０】
第１流路形成管６１の位置および第２流路形成管６２の位置がずれることにより、第１流路形成管６１および第２流路形成管６２の間の間隔は、設計値（第１開口８１および第２開口８２の間の間隔）に比べて小さくなる。第１流路形成管６１のみが矢印ＤＲ５方向にずれた場合、および第２流路形成管６２のみが矢印ＤＲ６方向にずれた場合であっても、第１流路形成管６１および第２流路形成管６２の間の間隔は、設計値（第１開口８１および第２開口８２の間の間隔）に比べて小さくなる。
【００９１】
本実施の形態の流路形成部材６０においては、第１流路形成管６１の外周部９３には第１係止部７７が設けられておらず、第２流路形成管６２の外周部９４にも第２係止部７８が設けられていない。第１流路形成管６１の外周部９３とは、第１流路形成管６１から見て第２流路形成管６２の側に位置する部分である。第２流路形成管６２の外周部９４とは、第２流路形成管６２から見て第１流路形成管６１の側に位置する部分である。
【００９２】
取付具８０を流路形成部材６０に取り付ける際、換言すると、第１流路形成管６１を第１開口８１に挿し込み、第２流路形成管６２を第２開口８２に挿し込む際に、取付具８０のベース部８７（第１開口８１の周縁部位）が第１係止部７７に干渉されることはほとんどない。同様に、取付具８０のベース部８７（第２開口８２の周縁部位）が第２係止部７８に干渉されることもほとんどない。
【００９３】
第１流路形成管６１を取付具８０の第１開口８１に挿し込む際、第１領域７１および第２領域７２は第１開口８１の周縁部位に接触して弾性変形し、第１開口８１の周縁部位を通過した後は元の状態に戻る。流路形成部材６０の第１領域７１および第２領域７２は、取付具８０のベース部８７のうちの第１開口８１の周縁部位に係止する。
【００９４】
第２流路形成管６２を取付具８０の第２開口８２に挿し込む際、第３領域７３および第４領域７４は第２開口８２の周縁部位に接触して弾性変形し、第２開口８２の周縁部位を通過した後は元の状態に戻る。流路形成部材６０の第３領域７３および第４領域７４は、取付具８０のベース部８７のうちの第２開口８２の周縁部位に係止する。
【００９５】
各領域７１〜７４が第１開口８１および第２開口８２の周縁部位に係止することによって、取付具８０および流路形成部材６０同士は互いに位置決めされ、取付具８０が流路形成部材６０から外れてしまうことは効果的に抑制される。
【００９６】
したがって本実施の形態の流路形成部材６０によれば、第１流路形成管６１の位置およびまたは第２流路形成管６２の位置が内側に向かってずれたとしても、第１流路形成管６１を取付具８０の第１開口８１に容易に挿し込むこと、および第２流路形成管６２を取付具８０の第２開口８２に容易に挿し込むことが可能となっている。取付具８０を流路形成部材６０に取り付けられた後においては、第１流路形成管６１が第１接続管１１から外れたり、第２流路形成管６２が第２接続管１２から外れたりすることも、効果的に抑制することが可能となっている。
【００９７】
［比較例］
図１５は、比較例における流路形成部材６０Ｚを示す斜視図である。図１６は、比較例における流路形成部材６０Ｚに取付具８０を取り付ける際の様子を示す平面図である。図１５に示すように、比較例の流路形成部材６０Ｚにおいては、第１流路形成管６１が環状に形成された係止部７７Ｚを含み、第２流路形成管６２も環状に形成された係止部７８Ｚを含む。
【００９８】
図１６に示すように、流路形成部材６０Ｚも、空気袋５０（図８参照）を作成する際に表面部材５４の裏面に熱溶着などによって予め接合される。熱溶着が実施される際に、流路形成部材６０Ｚにおいては、第１流路形成管６１の位置が矢印ＤＲ３方向（第２流路形成管６２から離れる方向）に位置ずれし、第２流路形成管６２の位置が矢印ＤＲ４方向（第１流路形成管６１から離れる方向）に位置ずれすることがある。流路形成部材６０Ｚそのものを製造する際にも、同様な位置ずれは発生し得る。
【００９９】
第１流路形成管６１の位置および第２流路形成管６２の位置がずれることにより、第１流路形成管６１および第２流路形成管６２の間の間隔は、設計値（第１開口８１および第２開口８２の間の間隔）に比べて大きくなる。第１流路形成管６１のみが矢印ＤＲ３方向にずれた場合、および第２流路形成管６２のみが矢印ＤＲ４方向にずれた場合であっても、第１流路形成管６１および第２流路形成管６２の間の間隔は、設計値（第１開口８１および第２開口８２の間の間隔）に比べて大きくなる。
【０１００】
流路形成部材６０Ｚにおいては、第１流路形成管６１の外周部９１を含むように係止部７７Ｚが設けられ、第２流路形成管６２の外周部９２を含むように係止部７８Ｚが設けられている。外周部９１とは、第１流路形成管６１から見て第２流路形成管６２の反対側に位置する部分である。外周部９２とは、第２流路形成管６２から見て第１流路形成管６１の反対側に位置する部分である。
【０１０１】
取付具８０を流路形成部材６０Ｚに取り付ける際に、取付具８０のベース部８７（第１開口８１の周縁部位）は係止部７７Ｚの外周部９１に対応する部分に干渉され、さらに、取付具８０のベース部８７（第２開口８２の周縁部位）は係止部７８Ｚの外周部９２に対応する部分にも干渉される。
【０１０２】
第１流路形成管６１の位置およびまたは第２流路形成管６２の位置が外側にずれた場合、第１流路形成管６１を取付具８０の第１開口８１に容易に挿し込むこと、および第２流路形成管６２を取付具８０の第２開口８２に容易に挿し込むことは困難となっている。比較例の流路形成部材６０Ｚにおいては、第１流路形成管６１の位置およびまたは第２流路形成管６２の位置が内側にずれた場合であっても、第１流路形成管６１を取付具８０の第１開口８１に容易に挿し込むこと、および第２流路形成管６２を取付具８０の第２開口８２に容易に挿し込むことは困難となっている。
【０１０３】
これに対して上述の実施の形態１における流路形成部材６０によれば、第１流路形成管６１の位置およびまたは第２流路形成管６２の位置が外側に向かってずれたとしても、第１流路形成管６１の位置およびまたは第２流路形成管６２の位置が内側に向かってずれたとしても、第１流路形成管６１を取付具８０の第１開口８１に容易に挿し込むこと、および第２流路形成管６２を取付具８０の第２開口８２に容易に挿し込むことが可能となっている。したがって上述の流路形成部材６０によれば、血圧測定装置１００（図１参照）などの完成品を容易に製造することが可能となっている。
【０１０４】
［実施の形態２］
図１７を参照して、本実施の形態における流路形成部材６０Ａについて説明する。流路形成部材６０Ａにおいては、第１流路形成管６１が第１係止部７７を含み、第２流路形成管６２は環状に形成された第２係止部７８Ａを含む。第１係止部７７は、上述の実施の形態１における流路形成部材６０の第１係止部７７と同様に形成される。
【０１０５】
取付具８０（図示せず）を流路形成部材６０Ａに取り付ける際には、上述の実施の形態１における流路形成部材６０と同様に、第１流路形成管６１の外周部９１および外周部９３が効果的に活用される。取付具８０（図示せず）を流路形成部材６０Ａに取り付ける際、第１流路形成管６１を先ず取付具８０の第１開口８１に挿し込み、その後、第２流路形成管６２を取付具８０の第２開口８２に挿し込むという順番にしてもよいし、その順番の逆であってもよいし、これらを同時に挿し込んでもよい。いずれの挿し込み方法であっても、上述の実施の形態１と同様の作用および効果を得ることができる。
【０１０６】
第１流路形成管６１の位置およびまたは第２流路形成管６２の位置が内側または外側にずれたとしても、外周部９１，９３を活用することによって、第１流路形成管６１を取付具８０の第１開口８１に容易に挿し込むこと、および第２流路形成管６２を取付具８０の第２開口８２に容易に挿し込むことが可能となっている。したがって流路形成部材６０Ａによっても、血圧測定装置などの完成品を容易に製造することが可能となっている。取付具８０が流路形成部材６０Ａに取り付けられた後においては、第１流路形成管６１が第１接続管１１から外れたり、第２流路形成管６２が第２接続管１２から外れたりすることも、効果的に抑制することが可能となっている。
【０１０７】
［実施の形態３］
図１８を参照して、本実施の形態における流路形成部材６０Ｂについて説明する。流路形成部材６０Ｂにおいては、第１流路形成管６１が第１係止部７７Ｂを含み、第２流路形成管６２が第２係止部７８Ｂを含む。
【０１０８】
第１係止部７７Ｂは、第１領域７１と第２領域７２とを接続する接続領域７５を有する。接続領域７５は、第１流路形成管６１から見て第２流路形成管６２の反対側に位置している。第２係止部７８Ｂは、第３領域７３と第４領域７４とを接続する接続領域７６を有する。接続領域７６は、第２流路形成管６２から見て第１流路形成管６１寄りに位置している。本実施の形態の流路形成部材６０Ｂを図１８に示すように平面視で見た場合、第１流路形成管６１および第２流路形成管６２は、各領域７１〜７４を含めて互いに同一の形状を有している。
【０１０９】
取付具８０（図示せず）を流路形成部材６０Ｂに取り付ける際には、第１流路形成管６１の外周部９３および第２流路形成管６２の外周部９２が効果的に活用される。取付具８０（図示せず）を流路形成部材６０Ｂに取り付ける際、第１流路形成管６１を先ず取付具８０の第１開口８１に挿し込み、その後、第２流路形成管６２を取付具８０の第２開口８２に挿し込むという順番にしてもよいし、その順番の逆であってもよいし、これらを同時に挿し込んでもよい。いずれの挿し込み方法であっても、上述の実施の形態１と同様の作用および効果を得ることができる。
【０１１０】
第１流路形成管６１の位置およびまたは第２流路形成管６２の位置が内側または外側にずれたとしても、外周部９２，９３を活用することによって、第１流路形成管６１を取付具８０の第１開口８１に容易に挿し込むこと、および第２流路形成管６２を取付具８０の第２開口８２に容易に挿し込むことが可能となっている。したがって流路形成部材６０Ｂによっても、血圧測定装置などの完成品を容易に製造することが可能となっている。取付具８０が流路形成部材６０Ｂに取り付けられた後においては、第１流路形成管６１が第１接続管１１から外れたり、第２流路形成管６２が第２接続管１２から外れたりすることも、効果的に抑制することが可能となっている。
【０１１１】
［実施の形態４］
図１９を参照して、本実施の形態における流路形成部材６０Ｃについて説明する。流路形成部材６０Ｃにおいては、第１流路形成管６１が第１係止部７７Ｃを含み、第２流路形成管６２が第２係止部７８Ｃを含む。
【０１１２】
第１係止部７７Ｃは、第１領域７１と第２領域７２とを接続する接続領域７５を有する。接続領域７５は、第１流路形成管６１から見て第２流路形成管６２寄りに位置している。第２係止部７８Ｃは、第３領域７３と第４領域７４とを接続する接続領域７６を有する。接続領域７６は、第２流路形成管６２から見て第１流路形成管６１の反対側に位置している。本実施の形態の流路形成部材６０Ｃを図１９に示すように平面視で見た場合、第１流路形成管６１および第２流路形成管６２は、各領域７１〜７４を含めて互いに同一の形状を有している。
【０１１３】
取付具８０（図示せず）を流路形成部材６０Ｃに取り付ける際には、第１流路形成管６１の外周部９１および第２流路形成管６２の外周部９４が効果的に活用される。取付具８０（図示せず）を流路形成部材６０Ｃに取り付ける際、第１流路形成管６１を先ず取付具８０の第１開口８１に挿し込み、その後、第２流路形成管６２を取付具８０の第２開口８２に挿し込むという順番にしてもよいし、その順番の逆であってもよいし、これらを同時に挿し込んでもよい。いずれの挿し込み方法であっても、上述の実施の形態１と同様の作用および効果を得ることができる。
【０１１４】
第１流路形成管６１の位置およびまたは第２流路形成管６２の位置が内側または外側にずれたとしても、外周部９１，９４を活用することによって、第１流路形成管６１を取付具８０の第１開口８１に容易に挿し込むこと、および第２流路形成管６２を取付具８０の第２開口８２に容易に挿し込むことが可能となっている。したがって流路形成部材６０Ｃによっても、血圧測定装置などの完成品を容易に製造することが可能となっている。取付具８０が流路形成部材６０Ｃに取り付けられた後においては、第１流路形成管６１が第１接続管１１から外れたり、第２流路形成管６２が第２接続管１２から外れたりすることも、効果的に抑制することが可能となっている。
【０１１５】
［実施の形態５］
図２０を参照して、本実施の形態における流路形成部材６０Ｄについて説明する。流路形成部材６０Ｄにおいては、第１流路形成管６１が第１係止部７７Ｃを含み、第２流路形成管６２が第２係止部７８Ｂを含む。
【０１１６】
第１係止部７７Ｃは、第１領域７１と第２領域７２とを接続する接続領域７５を有する。接続領域７５は、第１流路形成管６１から見て第２流路形成管６２寄りに位置している。第２係止部７８Ｂは、第３領域７３と第４領域７４とを接続する接続領域７６を有する。接続領域７６は、第２流路形成管６２から見て第１流路形成管６１寄りに位置している。本実施の形態の流路形成部材６０Ｄを図２０に示すように平面視で見た場合、第１流路形成管６１および第２流路形成管６２は、第１流路形成管６１と第２流路形成管６２とを結ぶ線分の垂直二等分線に対して、各領域７１〜７４を含めて互いに左右対称の形状を有している。
【０１１７】
取付具８０（図示せず）を流路形成部材６０Ｄに取り付ける際には、第１流路形成管６１の外周部９１および第２流路形成管６２の外周部９２が効果的に活用される。取付具８０（図示せず）を流路形成部材６０Ｄに取り付ける際、第１流路形成管６１を先ず取付具８０の第１開口８１に挿し込み、その後、第２流路形成管６２を取付具８０の第２開口８２に挿し込むという順番にしてもよいし、その順番の逆であってもよいし、これらを同時に挿し込んでもよい。いずれの挿し込み方法であっても、上述の実施の形態１と同様の作用および効果を得ることができる。
【０１１８】
第１流路形成管６１の位置およびまたは第２流路形成管６２の位置が内側または外側にずれたとしても、外周部９１，９２を活用することによって、第１流路形成管６１を取付具８０の第１開口８１に容易に挿し込むこと、および第２流路形成管６２を取付具８０の第２開口８２に容易に挿し込むことが可能となっている。したがって流路形成部材６０Ｄによっても、血圧測定装置などの完成品を容易に製造することが可能となっている。取付具８０が流路形成部材６０Ｄに取り付けられた後においては、第１流路形成管６１が第１接続管１１から外れたり、第２流路形成管６２が第２接続管１２から外れたりすることも、効果的に抑制することが可能となっている。
【０１１９】
［実施の形態６］
図２１を参照して、本実施の形態における流路形成部材６０Ｅについて説明する。流路形成部材６０Ｅにおいては、第１流路形成管６１が第１係止部７７Ｂを含み、第２流路形成管６２が第２係止部７８Ｃを含む。
【０１２０】
第１係止部７７Ｂは、第１領域７１と第２領域７２とを接続する接続領域７５を有する。接続領域７５は、第１流路形成管６１から見て第２流路形成管６２の反対側に位置している。第２係止部７８Ｃは、第３領域７３と第４領域７４とを接続する接続領域７６を有する。接続領域７６は、第２流路形成管６２から見て第１流路形成管６１の反対側に位置している。本実施の形態の流路形成部材６０Ｅを図２１に示すように平面視で見た場合、第１流路形成管６１および第２流路形成管６２は、第１流路形成管６１と第２流路形成管６２とを結ぶ線分の垂直二等分線に対して、各領域７１〜７４を含めて互いに左右対称の形状を有している。
【０１２１】
取付具８０（図示せず）を流路形成部材６０Ｅに取り付ける際には、第１流路形成管６１の外周部９３および第２流路形成管６２の外周部９４が効果的に活用される。取付具８０（図示せず）を流路形成部材６０Ｅに取り付ける際、第１流路形成管６１を先ず取付具８０の第１開口８１に挿し込み、その後、第２流路形成管６２を取付具８０の第２開口８２に挿し込むという順番にしてもよいし、その順番の逆であってもよいし、これらを同時に挿し込んでもよい。いずれの挿し込み方法であっても、上述の実施の形態１と同様の作用および効果を得ることができる。
【０１２２】
第１流路形成管６１の位置およびまたは第２流路形成管６２の位置が内側または外側にずれたとしても、外周部９３，９４を活用することによって、第１流路形成管６１を取付具８０の第１開口８１に容易に挿し込むこと、および第２流路形成管６２を取付具８０の第２開口８２に容易に挿し込むことが可能となっている。したがって流路形成部材６０Ｅによっても、血圧測定装置などの完成品を容易に製造することが可能となっている。取付具８０が流路形成部材６０Ｅに取り付けられた後においては、第１流路形成管６１が第１接続管１１から外れたり、第２流路形成管６２が第２接続管１２から外れたりすることも、効果的に抑制することが可能となっている。
【０１２３】
［実施の形態７］
図２２を参照して、本実施の形態における流路形成部材６０Ｆについて説明する。流路形成部材６０Ｆにおいては、第１流路形成管６１が第１係止部７７Ｄを含み、第２流路形成管６２が第２係止部７８Ｄを含む。第１係止部７７Ｄは、環状の形状を有し、第１流路形成管６１の外周面の周方向における全部から外方に向かって延出している。第２係止部７８Ｄも、環状の形状を有し、第２流路形成管６２の外周面の周方向における全部から外方に向かって延出している。
【０１２４】
第１係止部７７Ｄは、第１領域７１、第２領域７２およびこれらを接続する接続領域を有する。一方の接続領域（図２２の紙面右側に位置する接続領域）は、第１流路形成管６１の外周部９１に対応する部分に形成され、他方の接続領域（図２２の紙面左側に位置する接続領域）は、第１流路形成管６１の外周部９３に対応する部分に形成される。
【０１２５】
本実施の形態の第１係止部７７Ｄにおいては、外周部９１に位置する接続領域および外周部９３に位置する接続領域は、第１領域７１および第２領域７２よりも薄い厚さを有する。外周部９１に位置する接続領域および外周部９３に位置する接続領域は、第１領域７１および第２領域７２に比べて低い剛性を有している。
【０１２６】
第２係止部７８Ｄは、第３領域７３、第４領域７４およびこれらを接続する接続領域を有する。一方の接続領域（図２２の紙面左側に位置する接続領域）は、第２流路形成管６２の外周部９２に対応する部分に形成され、他方の接続領域（図２２の紙面右側に位置する接続領域）は、第２流路形成管６２の外周部９４に対応する部分に形成される。
【０１２７】
本実施の形態の第２係止部７８Ｄにおいては、外周部９２に位置する接続領域および外周部９４に位置する接続領域は、第３領域７３および第４領域７４よりも薄い厚さを有する。外周部９２に位置する接続領域および外周部９４に位置する接続領域は、第３領域７３および第４領域７４に比べて低い剛性を有している。
【０１２８】
本実施の形態の流路形成部材６０Ｆを図２２に示すように平面視で見た場合、第１流路形成管６１および第２流路形成管６２は、各領域７１〜７４および接続領域を含めて互いに同一の形状を有している。第１流路形成管６１および第２流路形成管６２は、第１流路形成管６１と第２流路形成管６２とを結ぶ線分の垂直二等分線に対して、各領域７１〜７４および接続領域を含めて互いに左右対称の形状を有していてもよい。
【０１２９】
たとえば、第１係止部７７Ｄにおいては外周部９１に位置する接続領域のみが第１領域７１および第２領域７２に比べて低い剛性を有し、第２係止部７８Ｄにおいては外周部９２に位置する接続領域のみが第３領域７３および第４領域７４に比べて低い剛性を有していてもよい。若しくは、第１係止部７７Ｄにおいては外周部９３に位置する接続領域のみが第１領域７１および第２領域７２に比べて低い剛性を有し、第２係止部７８Ｄにおいては外周部９４に位置する接続領域のみが第３領域７３および第４領域７４に比べて低い剛性を有していてもよい。これらの場合、第１流路形成管６１および第２流路形成管６２は、第１流路形成管６１と第２流路形成管６２とを結ぶ線分の垂直二等分線に対して、各領域７１〜７４および接続領域を含めて互いに左右対称の形状を有することとなる。
【０１３０】
取付具８０（図示せず）を流路形成部材６０Ｆに取り付ける際には、第１流路形成管６１の外周部９１，９３、ならびに第２流路形成管６２の外周部９２，９４が効果的に活用される。外周部９１〜９４に形成された接続領域は、低い剛性を有しているため、取付具８０のベース部８７に干渉したとしても、抵抗となることはほんどない。
【０１３１】
取付具８０（図示せず）を流路形成部材６０Ｆに取り付ける際、第１流路形成管６１を先ず取付具８０の第１開口８１に挿し込み、その後、第２流路形成管６２を取付具８０の第２開口８２に挿し込むという順番にしてもよいし、その順番の逆であってもよいし、これらを同時に挿し込んでもよい。いずれの挿し込み方法であっても、上述の実施の形態１と同様の作用および効果を得ることができる。
【０１３２】
第１流路形成管６１の位置およびまたは第２流路形成管６２の位置が内側または外側にずれたとしても、外周部９１〜９４に形成され低い剛性を有する接続領域を活用することによって、第１流路形成管６１を取付具８０の第１開口８１に容易に挿し込むこと、および第２流路形成管６２を取付具８０の第２開口８２に容易に挿し込むことが可能となっている。したがって流路形成部材６０Ｆによっても、血圧測定装置などの完成品を容易に製造することが可能となっている。取付具８０が流路形成部材６０Ｆに取り付けられた後においては、第１流路形成管６１が第１接続管１１から外れたり、第２流路形成管６２が第２接続管１２から外れたりすることも、効果的に抑制することが可能となっている。
【０１３３】
（変形例）
上述の各実施の形態は、血圧測定装置を用いて説明されている。血圧測定装置は、２つの流路形成管を備える流路形成部材が適用される一例である。少なくとも２つの流路形成管を備える流路形成部材は、血圧測定装置の他にも、流体を送り込んで袋状の部材を膨縮させ、マッサージ効果を得る各種のマッサージ装置等にも適用されることができる。少なくとも２つの流路形成管を備える流路形成部材は、これらの他にも、車両等に用いられるエアバッグ、ウォーターベッド、または、遊戯用の水泳具等にも適用されることができる。
【０１３４】
上述の実施の形態における取付具８０のベース部８７は、矩形形状を有している（図１１参照）。血圧測定装置１００における取付具８０のベース部８７は、さらに長い長さを有していてもよい。この場合のベース部８７は、いわゆるカーラとして機能することができる。カーラは、湾曲を有する弾性板として、空気袋５０とともにカフ４０に内包される。カーラは、一般的には、生体にフィットするように可撓性の部材により、略円筒形状に構成される。カーラは、一部が筒軸方向に沿って破断された形状を有しており、カフ４０の長手方向に沿ってカフ４０に内包される。
【０１３５】
カーラは生体に巻きつけられる際に径方向に弾性変形することができる。カーラは、空気袋５０の外側（カフ４０を生体に巻きつけた際の空気袋５０の外側）に配置される。取付具８０のベース部８７がカーラとして機能する場合であっても、上述の各実施の形態における流路形成部材が用いられることによって、第１流路形成管６１を取付具８０の第１開口８１に容易に挿し込むこと、および第２流路形成管６２を取付具８０の第２開口８２に容易に挿し込むことが可能となる。取付具８０が流路形成部材に取り付けられた後においては、第１流路形成管６１が第１接続管１１から外れたり、第２流路形成管６２が第２接続管１２から外れたりすることも、効果的に抑制することが可能となる。
【０１３６】
上述の各実施の形態における流路形成部材は、２つの流路形成管（第１流路形成管６１および第２流路形成管６２）を備える。上述の各実施の形態における流路形成部材は、２つ以上の流路形成管を備えていてもよい。当該構成であっても、上述の各実施の形態と同様の作用および効果を得ることができる。上述の各実施の形態における流路形成部材は、そのベース部６５が表面部材５４の裏面側に配置されるが、ベース部６５は表面部材５４の表面側に接合されてもよい。この場合、流路形成部材６０は空気袋５０の外表面上に配置される。当該構成であっても、上述の各実施の形態と同様の作用および効果を得ることができる。
【０１３７】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【０１３８】
１０  本体部、１１  第１接続管、１２  第２接続管、１３  凹部、１４，８４  ネジ穴、１５，１６  嵌込凹部、２０  表示部、２１  メモリ部、２２  操作部、２３  電源スイッチ、２４  測定スイッチ、２５  停止スイッチ、２６  メモリスイッチ、２７  ＩＤスイッチ、２８  ＣＰＵ、２９  電源、３０  エア系コンポーネント、３１，３２  エア管、３３  圧力センサ、３４  発振回路、３５  調整機構、３６  加圧ポンプ、３７  排気弁、３８  加圧ポンプ駆動回路、３９  排気弁駆動回路、４０  カフ、４１，４２，４３，５７，５８  穴、４４，５４  表面部材、４４Ｍ  面ファスナー、４５，５５  裏面部材、４６  一端、４７  他端、４８  環状リング、５０  空気袋、５６  空間、６０，６０Ａ，６０Ｂ，６０Ｃ，６０Ｄ，６０Ｅ，６０Ｆ，６０Ｚ  流路形成部材、６１  第１流路形成管、６２  第２流路形成管、６５，８７  ベース部、６６  リブ、７１  第１領域、７２  第２領域、７３  第３領域、７４  第４領域、７５，７６  接続領域、７７，７７Ｂ，７７Ｃ，７７Ｄ  第１係止部、７７Ｚ，７８Ｚ  係止部、７８，７８Ａ，７８Ｂ，７８Ｃ，７８Ｄ  第２係止部、８０  取付具、８１  第１開口、８２  第２開口、８３  固定部、８５，８６  嵌込凸部、９１，９２，９３，９４  外周部、１００  血圧測定装置、ＡＲ１，ＡＲ２，ＡＲ３，ＡＲ５，ＤＲ１，ＤＲ２，ＤＲ３，ＤＲ４，ＤＲ５，ＤＲ６  矢印、ＬＬ  直線。
【図１】
2014033829.tif 000003
【図２】
2014033829.tif 000004
【図３】
2014033829.tif 000005
【図４】
2014033829.tif 000006
【図５】
2014033829.tif 000007
【図６】
2014033829.tif 000008
【図７】
2014033829.tif 000009
【図８】
2014033829.tif 000010
【図９】
2014033829.tif 000011
【図１０】
2014033829.tif 000012
【図１１】
2014033829.tif 000013
【図１２】
2014033829.tif 000014
【図１３】
2014033829.tif 000015
【図１４】
2014033829.tif 000016
【図１５】
2014033829.tif 000017
【図１６】
2014033829.tif 000018
【図１７】
2014033829.tif 000019
【図１８】
2014033829.tif 000020
【図１９】
2014033829.tif 000021
【図２０】
2014033829.tif 000022
【図２１】
2014033829.tif 000023
【図２２】
2014033829.tif 000024